(57)【特許請求の範囲】
【請求項１】
天板、底板、両側板および背板から成る外箱と、厚板状の断熱材の表面に鋼板を張付けた断熱パネルと、略直角三角形の断面を有する三角柱状の断熱材からなる断熱片と、を備え、前記外箱の内側に前記断熱パネルを配設して、前記断熱パネルの鋼板を内壁とする内箱を構成すると共に、前記内箱を形成する前記断熱パネルの接合部の外側に、前記断熱片をその略直角三角形の断面における斜辺に該当する平面が前記外箱内側に向くように対向して配設したことを特徴とする自動販売機の筐体。
【請求項２】
前記外箱と、前記断熱パネルと、略直角三角形の断面を有する前記断熱片と、板状断熱材から成るシール部材とを備え、前記外箱の内側に前記断熱パネルを配設して、前記断熱パネルの鋼板を内壁とする内箱を構成すると共に、前記内箱を形成する前記断熱パネルの接合部の外側に、前記シール部材を介して、前記断熱片をその略直角三角形の断面における斜辺に該当する平面が前記外箱内側に向くように対向して配設したことを特徴とする請求項１記載の自動販売機の筐体。
【請求項３】
前記各々の断熱パネルは、相互に所定の位置関係に固定する係止手段を備えたことを特徴とする請求項１又は２に記載の自動販売機の筐体。
【請求項４】
前記係止手段は、商品収納ラック、冷却・加温装置等の前記内箱に内蔵される装置や部品を取付け可能とすることを特徴とする請求項３に記載の自動販売機の筐体。
【請求項５】
前記断熱パネルは、厚板状の断熱材の片面に剥離可能に鋼板を張付けたことを特徴とする請求項１乃至４の何れかに記載の自動販売機の筐体。
【発明の詳細な説明】
【０００１】
【発明の属する技術分野】
本発明は、商品を冷凍・冷蔵または加温した状態で、顧客の要望に応じて販売する自動販売機の筐体に関する。
【０００２】
【従来の技術】
従来、この種の自動販売機は、天面、底面、両側面および背面から成る断熱筐体の正面に、断熱ドアとメインドアを組み込んで、外殻が構成され、内部に商品を収納するラック、冷却装置、加温装置等を内蔵するようになっている。このような自動販売機の従来の筐体は、内部の商品や装置の外部環境（自動販売機が設置されている気候や雰囲気等の環境）からの保護、商品の盗難防止機能に加え、商品の保温・保冷庫としての機能を有している。このため、筐体は、天板と底板と左右の両側板と背板とから成る外箱と、外箱より小さく略相似形に形成された内箱と、前記外箱と前記内箱の間に配設された断熱部材とで構成されている。外箱および内箱は、それぞれ鋼板を溶接により接合して組み立てられ、十分な強度を保持できるようになっている。また、外箱は風雨や砂塵および盗難などから内部の装置や商品を保護するために必要な気密性が保持されている。また、筐体の断熱構造は、外箱に内箱を組み込んだ後に、両箱の間隙にポリウレタン等の発泡材の原料を注入して発泡させ、両箱との間に隙間が生じないようにして断熱性を保持するもの（従来例１）と、外箱と内箱の間隙に発泡ポリウレタンや発泡スチロール等から成る厚板状の断熱片を配設することにより断熱性を保持するもの（従来例２）とがある。さらに詳細には、従来例１は、商品の保存温度が保存品質を大きく左右するために、商品を保存する筐体が高い断熱性能を必要とする冷凍商品や、アイスクリームを販売する自動販売機に使用され、従来例2は、保存品質が保存温度に影響されずらい缶等の飲料を、冷却・加温して販売する自動販売機に使用されている。
【０００３】
図７は従来例２を示す自動販売機の側面要部断面図、図８は従来例２を示す自動販売機の平面要部断面図である。図に示すように筐体１は、天板１６ａと底板１６ｂと左右の両側板１６ｃと背板１６ｄから成る外箱１６と、外箱１６より小さく略相似形に形成された内箱５１と、外箱１６と内箱５１の間隙に発泡ウレタンや発泡スチロール等から成る板厚状の断熱片５２、５３、５４、５５を配設することで構成されている。そして、筐体１の正面に、断熱ドア２とメインドア３を組み込んで、外殻が構成され、内部に商品を収納するラック４や冷却装置５が内蔵されている。
【０００４】
【発明が解決しようとする課題】
ところで、従来例１の外箱と内箱の間に発泡材の原料を注入して発泡させる筐体構造においては、外箱と内箱及び断熱部が一体的に形成されるため比較的良好な断熱性能を保持すると共に、筐体の強度が増す長所を有するが、外箱と内箱を分離する等の分解作業が極めて困難であり、今後の製品開発の要件となるであろう「環境への影響を配慮した製品」即ち、リサイクル性の観点からは問題点があった。
【０００５】
また、従来例２の筐体構造においては、外箱、内箱および断熱部材の分離は容易で、リサイクル性上の観点からは問題はないが、その組立を容易に行うために各部に隙間を設ける必要があった。そして、その必要性から内箱と断熱片の間に隙間を設けることにより、商品冷却時に空気中の水分がこの隙間部分の内箱表面に結露して付着し、これを断熱材が吸湿して、断熱性能が時間の経過と共に低下してしまう問題があった。
【０００６】
そこで、本発明は、このような問題点に鑑みてなされたものであり、組立て、分離・分解作業を能率良く行い得ると共に、自ら筐体強度を補強する機能を有し、さらに比較的良好な断熱性能を保持することを可能にした自動販売機の筐体を提供することを目的とする。
【０００７】
【課題を解決するための手段】
上記課題を解決するため、請求項１にかかる発明は、天板、底板、両側板および背板から成る外箱と、厚板状の断熱材の表面に鋼板を張付けた断熱パネルと、略直角三角形の断面を有する三角柱状の断熱材からなる断熱片と、を備え、前記外箱の内側に前記断熱パネルを配設して、前記断熱パネルの鋼板を内壁とする内箱を構成すると共に、前記内箱を形成する前記断熱パネルの接合部の外側に、前記断熱片をその略直角三角形の断面における斜辺に該当する平面が前記外箱内側に向くように対向して配設したことによって、内箱と断熱材の間の隙間がない共に、構成部品を容易に分解可能とし、さらに内箱接合部の断熱材の隙間をなくした筐体を提供することが可能である。
【０００９】
請求項２にかかる発明は、前記外箱と、前記断熱パネルと、略直角三角形の断面を有する前記断熱片と、板状断熱材から成るシール部材とを備え、前記外箱の内側に前記断熱パネルを配設して、前記断熱パネルの鋼板を内壁とする内箱を構成すると共に、前記内箱を形成する前記断熱パネルの接合部の外側に、前記シール部材を介して、前記断熱片をその略直角三角形の断面における斜辺に該当する平面が前記外箱内側に向くように対向して配設したことによって、前記内箱接合部の隙間を密閉した筐体を提供することが可能である。
【００１０】
請求項３にかかる発明は、請求項１又は２に記載の筐体において、前記各々の断熱パネルを、相互に所定の位置関係に固定する係止手段を備えたことによって、内箱を精度良く組み立てることができると共に、筐体の強度を増すことができる。
【００１１】
請求項４にかかる発明は、前記係止手段は、商品収納ラック、冷却・加温装置等の前記内箱に内蔵される装置や部品を取付け可能とすることによって、これらの装置や部品を直接に内箱に取り付ける必要がなくなり、内箱壁面上に設けられ断熱材に直通するこれらのネジ穴の数を減らすことができる。
【００１２】
請求項５にかかる発明は、前記断熱パネルは、厚板状の断熱材の片面に剥離可能に鋼板を張付けたことによって、筐体を分解する際に鋼板と発泡ポリウレタン等の断熱材を分離することができ、材質別に材料を回収することが可能である。
【００１３】
【発明の実施の形態】
以下、図面を参照して、本発明の実施例に係る自動販売機について説明する。尚、従来例と同一構成に関しては同一符号を用いる。
【００１４】
図1は本発明の実施例を示す自動販売機の正面図、図2は本発明の実施例を示す自動販売機の側面図、図３は本発明の実施例を示す自動販売機の側面要部断面図、図４は本発明の実施例を示す自動販売機の平面要部断面図、図５は本発明の実施例を示す筐体構造の分解斜視図、図６は図３の部分拡大図を示す。
【００１５】
図１乃至４に示すように、本発明の実施例を示す自動販売機は、天面、底面、側面、背面から成る筐体１の正面に、断熱ドア２とメインドア３とを、回動自在に組み込んで、外殻が構成されている。筐体１の内部には、販売機構４ａを組み込んだ商品収納ラック４や内部冷却装置５が収納され、メインドア３の外側には、ディスプレイ６と商品選択ボタン７と硬貨投入口８と金額表示器９と返却レバー１０と硬貨返却口１１と商品販売口１２とが配設されている。
【００１６】
中身商品は、その補充時には、断熱ドア２とメインドア３とを開蓋して商品収納ラック４内に収納される。商品収納ラック４に投入された商品は、冷却装置の室外機１３に接続された内部冷却装置５によって所定の冷却温度に冷却される。
【００１７】
購入者が硬貨投入口８にコインを投入すると、図示しない硬貨識別装置が作動してコインの識別を行い、投入コインが正貨と識別されると、商品選択ボタン７の販売可ランプを点灯させる。そして、商品選択ボタン７が押釦されると、図示しない制御ユニットが商品収納ラック４の販売機構４ａを駆動すると共にデリバリドア１４を開動して、商品収納ラック４内から所望の商品が搬出され、デリバリシュート１５を介して商品販売口１２に商品が搬出される。
【００１８】
次に図５を参照して、筐体１について説明する。筐体１は、上部の天板１６ａと、下部の底板１６ｂと、左右の両側板１６ｃと、後部の背板１６ｄと、冷却装置の室外機１３を載置するベース部１６ｅとから成る外箱１６と、厚板状の断熱材の表面に鋼板を張付けて前記外箱１６の前記各板１６ａ〜１６ｄの内側に配設されて内箱を構成する天面断熱パネル１７、底面断熱パネル１８、側面断熱パネル１９、背面断熱パネル２０と、前記内箱の稜線を形成する前記各断熱パネル１７、１９、２０の接合部に、シール部材２１、２２、２３を介して配設した断熱片２４、２５、２６とによって構成されている。さらに、前記各断熱パネル１７、１８、１９、２０は、フレーム板によって各々相互に所定の位置関係に接合されることによって、内箱形状が保持されると共に、内箱の稜線部を形成する前記各接合部が前記各シール部材２１、２２、２３に押し付けられて接合部の隙間が密閉される。なお、各々の断熱パネル１７、１８、１９、２０は、それぞれ鋼板部１７ａ、１８ａ、１９ａ、２０ａと断熱材部１７ｂ、１８ｂ、１９ｂ、２０ｂを剥離可能に接着して構成されている。このようにして組み立てられた筐体１に断熱ドア２が取り付けられ、この断熱ドア２の閉蓋により商品を収納する庫内が形成される。
【００１９】
図３における２９〜３５は前記断熱パネル１７〜２０を相互に所定の位置関係に接合する前記フレーム板である。２９は天面断熱パネル１７と背面断熱パネル２０を、３０は側面断熱パネル１９と背面断熱パネル２０を、３１は底面断熱パネル１８と背面断熱パネル２０を、３２、３３、３４は両側の側面断熱パネル１９を、３５は両側の側面断熱パネル１９と天面断熱パネル１７を、それぞれ所定の位置関係に接合する。また、図６に示すようにフレーム板３５は、側面断熱パネル１９と天面断熱パネル１７を所定の位置関係に接合するだけではなく、内部装置である商品収納ラック４を係止する。同様に、フレーム板３３、３４は商品収納ユニット４を、フレーム板３２はデリバリシュート１５を、フレーム板３１は冷却用ファンモータ３６をそれぞれの断熱パネルと共に係止する。このように各々の断熱パネルを所定の位置関係に接合するフレーム板に内部装置を係止することによって、内箱壁面を構成する断熱パネルの鋼板に直接に内部装置を取付けるネジ穴等を減らすことができ、断熱材の吸湿量を減少させることができる。
【００２０】
尚、本実施例の底面断熱パネル１８は、内箱の稜線を形成する接合部に配設される斜面を有する断熱片と断熱パネルとを一体に構成した例を示す。本実施例のように底面断熱パネル１８に排水穴部１８ｃ等を設ける必要がある場合には、部品の形状が複雑になることから、部品の作成は金型による成形が必然となる。従って、部品を統合して部品点数を削減することは、金型投資効率を向上させて、コスト削減効果を増すことができる。
【００２１】
【発明の効果】
以上説明したように請求項１記載の発明によれば、外箱の内側に鋼板を張付けた断熱パネルを配設して、前記断熱パネルの鋼板を内壁とする内箱を構成すると共に、前記内箱を形成する接合部の外側に、断熱片をその略直角三角形の断面における斜辺に該当する平面が前記外箱内側に向くように対向配置し、内箱と断熱材の間の隙間がないと共に、構成部品を容易に分解可能とし、さらに内箱接合部の断熱材の隙間をなくした筐体を提供することによって、断熱性能を高め、内箱表面の結露による断熱材の吸湿をなくして長期間に渡って良好な断熱性能を維持すると共に、分解容易でリサイクルが可能な環境への影響を配慮した自動販売機の筐体を提供することが可能である。
【００２３】
請求項２記載の発明によれば、前記内箱を形成する前記接合部の外側に、前記断熱片をシール部材を介して対向配置して、前記内箱接合部の隙間を密閉したことによって、さらに断熱性能を高めた筐体を提供することが可能である。
【００２４】
請求項３記載の発明によれば、前記筐体において、前記断熱パネルの相互の位置関係を固定する係止手段を備えて内箱を精度良く組み立てることができると共に、筐体の強度を増すことによって、筐体の組立を容易にし、前記断熱片と前記断熱パネルとの密着性を増して断熱性能を高め、さらに内箱に内蔵される装置や部品を取りつけ可能とすることができる。
【００２５】
請求項４記載の発明によれば、前記係止手段は内蔵される装置や部品を取り付け可能とし、前記断熱パネルの鋼板部に直接これらの装置や部品を取りつけるネジ穴等の数を減らすことができ、断熱材のこれらの穴からの吸湿量を減らすことができるため、断熱性能の低下を抑止することができる。
【００２６】
請求項５記載の発明によれば、前記断熱パネルは鋼板と発泡ポリウレタン等の断熱材に分離して材料を回収することができることによって、リサイクル性を向上させることができる。
【図面の簡単な説明】
【図１】本発明の実施例を示す自動販売機の正面図である。
【図２】本発明の実施例を示す自動販売機の側面図である。
【図３】本発明の実施例を示す自動販売機の側面要部断面図である。
【図４】本発明の実施例を示す自動販売機の平面要部断面図である。
【図５】本発明の実施例を示す筐体構造の分解斜視図である。
【図６】本発明の実施例を示す図３の部分拡大図である。
【図７】従来例２を示す自動販売機の側面要部断面図である。
【図８】従来例２を示す自動販売機の平面要部断面図である。
【符号の説明】
１６    外箱
１６ａ  天板
１６ｂ  底板
１６ｃ  側板
１６ｄ  背板
１７    天面断熱パネル
１８    底面断熱パネル
１９    側面断熱パネル
２０    背面断熱パネル
２１、２２、２３  シール部材
２４、２５、２６  断熱片
２９、３０、３１、３２、３３、３４、３５  フレーム板
【図１】
0004168306.tif 000002
【図２】
0004168306.tif 000003
【図３】
0004168306.tif 000004
【図４】
0004168306.tif 000005
【図５】
0004168306.tif 000006
【図６】
0004168306.tif 000007
【図７】
0004168306.tif 000008
【図８】
0004168306.tif 000009